(57)【特許請求の範囲】
【請求項１】
電力系統から中性線と２本の電力供給線との３本の配線路からなり中性線と電力供給線との間は１００Ｖで２本の電力供給線との間は２００Ｖである単相三線式で受電し複数の負荷系統に対して所定の電源容量で負荷電源を分配する分電盤と、前記分電盤で分配された負荷電源を各々の負荷系統に供給する複数の単相三線式分岐線と、１００Ｖ負荷に負荷電流を供給するパワーダクトおよび２００Ｖ負荷に負荷電流を供給するパワーダクトとを備え、前記パワーダクトのうち１００Ｖ負荷に負荷電流を供給するパワーダクトは、前記単相三線式分岐線を中継する中継端子と、前記中継端子で中継された単相三線式分岐線の２本の電力供給線のうちの一方の電力供給線と前記中性線との間から負荷に供給する電力を取り出す一方のコンセントと他方の電力供給線と前記中性線との間から負荷に供給する電力を取り出す他方のコンセントとの２個のコンセントからなる一対のコンセントと、前記一対のコンセントと前記中継端子との間に接続され前記負荷が過負荷となったときに動作する保護遮断器とを備え、前記パワーダクトのうち２００Ｖ負荷に負荷電流を供給するパワーダクトは、前記単相三線式分岐線を中継する中継端子と、前記中継端子で中継された単相三線式分岐線のうち２本の電力供給線の間から負荷に供給する電力を取り出すコンセントと、前記コンセントと前記中継端子との間に接続され前記負荷が過負荷となったときに動作する保護遮断器とを備え、前記単相三線式分岐線の中性線および電力供給線は前記中継端子を介してスルーする形で１００Ｖのパワーダクトおよび２００Ｖのパワーダクトに接続されることを特徴とする電源供給装置。
【発明の詳細な説明】
【０００１】
【発明の属する技術分野】
本発明は、単相三線式で電力供給を受けて屋内配線を行う電源供給装置に関する。
【０００２】
【従来の技術】
一般に、屋内配線に用いられる単相三線式は、中性線と２本の電力供給線との３本の配線路からなり、１００Ｖの負荷と２００Ｖの負荷を併用する場合や電灯を多数施設する場合に使用される。１００Ｖの負荷は中性線と２本の電力線との間にそれぞれ接続され、２００Ｖの負荷は２本の電力供給線との間に接続されて使用される。
【０００３】
図２は、従来の電源供給装置の構成図である。電力系統から分電盤１に単相三線式電線路２が引き込まれる。いま、中性線をＮとし、電力供給線は三相のＶ相、Ｕ相、Ｗ相のうちのＶ相とＵ相で、１００Ｖの負荷に対し負荷電源を供給するものとする。
【０００４】
この場合、分電盤１では、メインブレーカ３を介して単相三線式電線路２の中性線Ｎおよび２本の電力供給線Ｖ、Ｕが引き込まれ、中性線Ｎと電力供給線Ｖ、Ｕとで１００Ｖの単相二線式分岐線５を取り出す。そして、個別の配線用遮断器４を介して各々の負荷系統に対して単相二線式分岐線５により負荷電源が分配される。
【０００５】
単相二線式分岐線５にはコンセントの受け口となる複数個のタップ６が設けられ、このタップ６のコンセントから負荷に電源が供給される。また、各々の負荷系統の電源容量は配電用遮断器４の遮断容量により決められる。すなわち、これらの単相二線式分岐線５の負荷系統は、配線用遮断器４の電気容量で使用負荷が保護されると共に制限されている。
【０００６】
【発明が解決しようとする課題】
しかし、このような従来の電源供給装置では、１００Ｖの負荷に対しては単相三線式で受電後に分電盤１において単相二線式分岐線５が引き出されるので、２００Ｖの負荷に対しては別途２００Ｖ専用の配線路が必要となり、有効的な電気使用ができない。
【０００７】
また、分電盤１からの単相二線式分岐線５の取出し口は、個別に配線設置されるため、Ｖ相とＵ相との区別が不明なまま使用されている。このことから、相バランスが確保できない場合があり、効率の良い使用ができない。
【０００８】
図３に示すように、Ｖ相と中性線Ｎとの間に１００Ｖ負荷７が接続され、Ｕ相と中性線Ｎとの間に１００Ｖ負荷８が接続され、さらにＶ相とＵ相との間に２００Ｖ負荷９が接続されている場合には、Ｖ相、Ｕ相のアンバランスは、中性線ＮにＩ1−Ｉ2の電流が流れるので、その中性線Ｎのラインインピーダンスの分だけ電圧変化（±△Ｖ）を生じさせ、負荷に対して不適切な電力供給を行うことになる。
【０００９】
本発明の目的は、２本の電力供給線にバランス良く負荷電源を分配でき、しかも１００Ｖ／２００Ｖの各負荷に電源供給を容易に行える電源供給装置を提供することである。
【００１０】
【課題を解決するための手段】
請求項１の発明に係わる電源供給装置は、電力系統から中性線と２本の電力供給線との３本の配線路からなり中性線と電力供給線との間は１００Ｖで２本の電力供給線との間は２００Ｖである単相三線式で受電し複数の負荷系統に対して所定の電源容量で負荷電源を分配する分電盤と、前記分電盤で分配された負荷電源を各々の負荷系統に供給する複数の単相三線式分岐線と、１００Ｖ負荷に負荷電流を供給するパワーダクトおよび２００Ｖ負荷に負荷電流を供給するパワーダクトとを備え、前記パワーダクトのうち１００Ｖ負荷に負荷電流を供給するパワーダクトは、前記単相三線式分岐線を中継する中継端子と、前記中継端子で中継された単相三線式分岐線の２本の電力供給線のうちの一方の電力供給線と前記中性線との間から負荷に供給する電力を取り出す一方のコンセントと他方の電力供給線と前記中性線との間から負荷に供給する電力を取り出す他方のコンセントとの２個のコンセントからなる一対のコンセントと、前記一対のコンセントと前記中継端子との間に接続され前記負荷が過負荷となったときに動作する保護遮断器とを備え、前記パワーダクトのうち２００Ｖ負荷に負荷電流を供給するパワーダクトは、前記単相三線式分岐線を中継する中継端子と、前記中継端子で中継された単相三線式分岐線のうち２本の電力供給線の間から負荷に供給する電力を取り出すコンセントと、前記コンセントと前記中継端子との間に接続され前記負荷が過負荷となったときに動作する保護遮断器とを備え、前記単相三線式分岐線の中性線および電力供給線は前記中継端子を介してスルーする形で１００Ｖのパワーダクトおよび２００Ｖのパワーダクトに接続されることを特徴とする。
【００１６】
【発明の実施の形態】
以下、本発明の実施の形態を説明する。図１は本発明の実施の形態に係わる電源供給装置の構成図である。この実施の形態は、図２に示した従来例に対し、単相二線式分岐線５に代えて単相三線式分岐線１０として電源供給幹線を構成し、タップ６に代えてパワーダクト１１を設けたものである。
【００１７】
パワーダクト１１は単相三線式分岐線１０により負荷電源を受電した後、２本の電力供給線Ｖ、Ｕの接続の組み合わせにより１００Ｖ／２００Ｖの負荷に対しての電源供給に対応する。また、パワーダクト１１での中継接続で単相三線式分岐線１０の延長を可能とする。
【００１８】
図１において、分電盤１からメインブレーカ３を介して単相三線式電線路２の中性線Ｎおよび２本の電力供給線Ｖ、Ｕが引き込み、配電用遮断器４を介して複数本の単相三線式分岐線１０を取り出す。これにより、各々の負荷系統に対して単相三線式分岐線１０により負荷電源が分配される。
【００１９】
負荷系統は、例えば小売業の店舗の販売什器が接続される系統であり、店舗の中に各種の販売什器が設置されている。これらの販売什器の電気仕様は、１００Ｖ、２００Ｖが混在しているとともに、販売什器の入れ替えが定期的に行われている。この販売什器を設置する場所に、必要な電源容量を確保した単相三線式分岐線１０で負荷電源を供給する。必要な電源容量は配電用遮断器４の遮断容量を考慮して決められる。
【００２０】
各々の負荷系統の単相三線式分岐線１０には、販売什器が接続されるパワーダクト１１ａ〜１１ｄが設けられている。これらパワーダクト１１は単相三線式分岐線１０を中継端子１２で中継し、単相三線式分岐線１０により負荷電源を受電した後、２本の電力供給線Ｖ、Ｕの接続の組み合わせにより１００Ｖ負荷または２００Ｖ負荷に対しての電源供給に対応する。
【００２１】
例えば、パワーダクト１１ａ〜１１ｃは、１００Ｖ負荷に負荷電流を供給する構成のパワーダクトであり、電力供給線Ｖ、Ｕを単独構成し、それぞれ分岐回路を保護する保護遮断器１３を介して一対のコンセント１４に１００Ｖを送っている。すなわち、中性線Ｎと電力供給線Ｖ、Ｕとの間からそれぞれ保護遮断器１３を介して２個のコンセント１４に接続し、このコンセント１４からそれぞれ１００Ｖ負荷に電力を供給する。この２個のコンセントは、一方はＶ相から負荷電源が供給され、他方はＵ相から負荷電源が供給されるので、一対のコンセントの双方を使用した場合には、各相の流れる負荷電流を均一化できるようになっている。なお、保護遮断器１３としては過電流遮断器が用いられている。また、中性線Ｎおよび電力供給線Ｖ、Ｕは中継端子１２を介してスルーする形となる。
【００２２】
一方、パワーダクト１１ｄは、２００Ｖ負荷に負荷電流を供給する構成のパワーダクトであり、単相三線式分岐線１０を中継端子１２で中継し、電力供給線Ｖ、Ｕを並列に取り込み、分岐回路を保護する保護遮断器１３を介してコンセント１４に２００Ｖを送っている。すなわち、単相三線式分岐線１０のうち２本の電力供給線Ｖ、Ｕの間から、２本のコンセント１４を取り出し、このコンセント１４から２００Ｖ負荷に負荷電源を供給するようにしている。
【００２３】
この場合、中性線Ｎおよび電力供給線Ｖ、Ｕは中継端子１２を介してスルーする形となる。パワーダクト１１の中継端子１２は、単相三線式分岐線１０をスルーできるので、デイジーチェーン方式で複数台接続可能となる。
【００２４】
このように、パワーダクト１１は単相三線式分岐線１０を中継端子１２により中継引き込みしているので、電力供給線Ｖ、Ｕの接続を適宜組み合わせることにより、１００Ｖ負荷や２００Ｖ負荷に対応したコンセント１４とすることができる。また、パワーダクト１１の中継端子１２の接続で単相三線式分岐線１０の延長が可能となる。
【００２５】
【発明の効果】
以上説明したように、本発明によれば、負荷に対し単相三線式分岐線で電源供給を行うので、分電盤から負荷までの布線数を減らすことができる。これにより、分電盤からの分岐線が減少するので、配電用遮断器の数を減らすことができ、分電盤の外形寸法を小さくできる。
【００２６】
また、単相三線式分岐線にパワーダクトを設けているので、パワーダクトでの配線により容易に１００Ｖ負荷または２００Ｖ負荷への対応が可能となり、１００Ｖ機器および２００Ｖ機器の混在が可能となる。さらに、パワーダクトの中継機能により必要に応じたコンセントの増減ができる。また、２本の電力供給線Ｖ、Ｕの１００Ｖ供給口を一対のコンセントで構成するので、単相三線式分岐線での電力バランスを目視で調整することができる。
【図面の簡単な説明】
【図１】本発明の実施の形態に係わる電源供給装置の構成図。
【図２】従来の電源供給装置の構成図。
【図３】単相三線式の電力供給装置における電力供給のアンバランスの説明図。
【符号の説明】
１…分電盤、２…単相三線式電線路、３…メインブレーカ、４…配電用遮断器、５…単相二線式分岐線、６…タップ、７、８…１００Ｖ負荷、９…２００Ｖ負荷、１０…単相三線式分岐線、１１…パワーダクト、１２…中継端子、１３…保護遮断器、１４…コンセント
【図１】
0004277970.tif 000002
【図２】
0004277970.tif 000003
【図３】
0004277970.tif 000004